(57)【要約】      （修正有）【課題】低コストでかつ簡易な構造でバラエティに富んだ使用方法を使用者自身が適宜選択可能な装身具を提供する。【解決手段】宝石類や貴金属からなる装飾体２と、前記装飾体２の背面に円筒状に立設した金具２ａを備え、金具２ａの直径方向に対向する周壁に一対の小孔４ａ、４ｂを貫通開孔させ、同様にして一対の小孔６ａ、６ｂを小孔４ａ、４ｂと同一平面上に角度（方向）を変えて追加して複数対、設けたことで、前記一対の小孔４ａ、４ｂあるいは、小孔６ａ、６ｂのどちらか一方を選択してリング３を嵌挿して指輪とする。ペンダントとして使用する場合は、リング３を外した後小孔４ａ、４ｂ、６ａ、６ｂの何れかを上方にして、ネックレスのチェーンを通す。【選択図】  図３
2004261534.tif 000002
【特許請求の範囲】
【請求項１】
装飾体とリングを着脱可能にして、指輪とペンダントの両者を選択使用可能にした装身具において、宝石類や貴金属からなる装飾体と、前記装飾体の背面に円筒状に立設した金具を備えるとともに、前記円筒状に立設した金具の直径方向の対向する周壁には、切欠部を有した指輪を着脱自在に挿通するための一対の小孔を貫通開孔し、前記一対の小孔は、直径方向の対向する周壁に同一平面状に角度を変えて複数対、設けたことを特徴とする装身具。
【請求項２】
前記装飾体の背面に立設した金具は、筒状の偶数の正多角形であることを特徴とする請求項１に記載の装身具。
【発明の詳細な説明】
【０００１】
【発明の属する技術分野】
本発明は、指輪やペンダント等、多用途に使用することのできる装身具に関する。
【０００２】
【従来の技術】
従来の装身具は、指輪、ペンダント等と、それぞれに用途が限定されていることが一般的であるが、指輪とペンダントを兼用できるようにした考案や発明が従来より多々提案されてきた。
このような指輪とペンダントを兼用できるようにした考案や発明の背景は、第１には、使用者が気に入ったデザインの装身具を同一イメージで揃えようとした時、指輪とペンダントのそれぞれを購入する必要がある。これら装身具は、一般的には貴金属や宝石からなるため高価であり、指輪とペンダントの両者を購入しようとすると多額の費用が必要であるという経済的な面があげられる。
そして第２には、一つの装身具を用途を変えて使用することで、使用者が必要に応じて、その日の気分で適宜選択使用することができ、かつ使用者自信が楽しむことが可能になるという面があげられるであろう。
【０００３】
このような指輪とペンダントを兼用できるようにした先行技術は、大きく分けて４つのタイプに分類される。
第１の分類では、装飾体（ヘッド）と指輪（リング）を着脱可能にし、装飾体にはネックレスのチェーンを通すための金具を設けることで、指輪とペンダントを兼用させたものがある。
具体的な代表例としては、実公Ｓ５０−２４３８７号「指輪」（特許文献１）があり、特許文献１の第１図から第３図に示されるように、前面に宝石類の装飾体を取付けた台座と、この台座の背面に脱着される環体（指輪）とで構成して、台座に設けられた止杆にネックレスを通すことで指輪とペンダントの二様を使い分けることが可能になっており、考案の詳細な説明の欄には、「一つの装飾体を指輪とペンダントの二様に使い分けることができるので、その利用価値を大幅に拡大させることができるのは勿論、台座に取付けた止杆によって該台座と環体との結合、及びペンダントとしての吊具となるので、余分な附帯部品が不要であり、二様に使い分ける際に面倒がなく、しかも部品の紛失や使用中装飾体の離脱がないし、かつペンダントとする場合にはネックレスを利用することができるため簡便であるなど、種々優れた効果がある。」とされる。
このように構成された先行技術は他に、実公Ｓ５３−４８１５８号（特許文献２）、実開Ｓ５６−３００１８号（特許文献３）、実開Ｓ６２−１２０８１１号（特許文献４）、実開Ｓ６３−３３８１０号（特許文献５）、実開Ｈ０６−３１５１０号（特許文献６）、特開２００２−１９１４１９号（特許文献７）等が存在する。
【０００４】
第２の分類では、装飾体自体に、指輪を通す孔と、ネックレスのチェーンを通す孔をそれぞれ設けたことで、指輪とペンダントを兼用できるようにしたものがある。
具体的な代表例としては、実用新案登録第３０３５５９０号「ペンダント・リング両用ヘッド」（特許文献８）があり、特許文献８の第１図に示されるように装飾体に指輪を通す孔と、ネックレスのチェーンを通す孔を設けて、指輪として使用する場合は、装飾体の指輪を通す孔に指輪を通して指輪とし、ペンダントとして使用する場合は、装飾体のネックレスのチェーンを通す孔にチェーンを通してペンダントとして使用し、適宜両者を選択使用することができるものである。このように構成された先行技術は他に、実開Ｈ０５−２９４１３（特許文献９）が存在する。
【０００５】
第３の分類では、装飾体に指輪を取付けるための２つのＵ字金具とネックレスのチェーンを通すための金具を設け、２つのＵ字金具それぞれに対応した引っかけ金具を有する指輪を嵌挿して、指輪とペンダントを兼用させたものがある。
具体的な例としては、実開Ｈ０４−１３３７１８号「リング・ペンダント兼用ヘッド」（特許文献１０）があり、特許文献１０の第１図から第４図に示されるように、前記したように、２つのＵ字金具のそれぞれに指輪の引っかけ金具を嵌挿した後、指輪を二重に重ね合わせて、装飾体への固定を行うものである。同様なもので実開Ｈ０４−１３８３１２号（特許文献１１）等がある。
【０００６】
第４の分類では、装飾体に回動可能に指輪を設け、ペンダントとして使用する場合は、指輪を装飾体と同一平面上になるように指輪を回動させて折り畳む。そして装飾体にネックレスのチェーンを通すための金具、あるいは折り畳んだ指輪にネックレスのチェーンを通して、指輪とペンダントを兼用させたものがある。具体的な代表例としては、実公Ｓ５４−２６２３６号「ペンダント兼用指輪」（特許文献１２）があり、特許文献１０の第１図から第４図に示されるように、指輪台（装飾体）に、指輪台とほぼ同一面上に折り畳めるように回転自在に指嵌め部（リング）を設けて、前記指輪台にはネックレスの鎖を通すための鎖通し部を設けたことで、通常は指輪として使用することができ、ペンダントとして使用する場合は、指輪台に回転自在に設けられた指嵌め部を指輪台とほぼ同一面になるように折り畳んだ後に、鎖通し部にネックレスの鎖を通してペンダントと使用できるように構成したものである。
このように構成された先行技術は他に、実公Ｓ５５−１４４７号（特許文献１３）、実開Ｓ６２−１１９８２０号（特許文献１４）、特開Ｓ５４−１０６３７３号（特許文献１５）、実公Ｈ０８−１１０７４号（特許文献１６）、実用新案登録第３００１１１７号（特許文献１７）、実用新案登録第３０４２２０２号（特許文献１８）、特許第３１０３４９５号（特許文献１９）等が存在する。
【０００７】
【特許文献１】実公Ｓ５０−２４３８７号公報
【特許文献２】実公Ｓ５３−４８１５８号公報
【特許文献３】実開Ｓ５６−３００１８号公報
【特許文献４】実開Ｓ６２−１２０８１１号公報
【特許文献５】実開Ｓ６３−３３８１０号公報
【特許文献６】実開Ｈ０６−３１５１０号公報
【特許文献７】特開２００２−１９１４１９号公報
【特許文献８】実用新案登録第３０３５５９０号公報
【特許文献９】実開Ｈ０５−２９４１３号公報
【特許文献１０】実開Ｈ０４−１３３７１８号公報
【特許文献１１】実開Ｈ０４−１３８３１２号公報
【特許文献１２】実公Ｓ５４−２６２３６号公報
【特許文献１３】実公Ｓ５５−１４４７号公報
【特許文献１４】実開Ｓ６２−１１９８２０号公報
【特許文献１５】特開Ｓ５４−１０６３７３号公報
【特許文献１６】実公Ｈ０８−１１０７４号公報
【特許文献１７】実用新案登録第３００１１１７号公報
【特許文献１８】実用新案登録第３０４２２０２号公報
【特許文献１９】特許第３１０３４９５号公報
【０００８】
【発明が解決しようとする課題】
しかしながら、前記第１の分類の、装飾体（ヘッド）と指輪（リング）を着脱可能にし、装飾体にはネックレスのチェーンを通すための金具を設け、指輪とペンダントを兼用させたものにあっては、装飾体にネックレスのチェーンを通す金具を使用して指輪を固定することと、ペンダント使用時は、金具を装飾部背面に収納する構造であるので、非常に繊細緻密な製作技術が必要なことと、構造が複雑になってしまうことから、日常の使用過程において、破損する率が高いことと、コスト面において高価になることを否めない。
次に、第２の分類では、装飾体に指輪を通す孔と、ネックレスのチェーンを通す孔を設けて、指輪とペンダントを兼用させたものにあっては、装飾体の側面に指輪を嵌挿させる孔と、ネックレスのチェーンを通す孔をそれぞれ別個に設けられるとともに、孔も限定された位置であるので、バラエティに富んだ使い方ができない。
第３の分類では、装飾体に指輪を取付けるために、２つの指輪を二重に重ね合わせることで装飾体を固定するため、指輪が複数となることから、コストが高くなることを否めない。
第４の分類では、装飾体に回動可能に指輪が設けられており、常に装飾体にリング部が存在するので、指輪とペンダントをそれぞれ単体で使用することが不可能であり、なおかつ、ペンダントとして使用した場合に、それがデザインの一部として認識されるようなものであればよいが、外観からは、あたかも指輪とペンダントを共用していることが第三者にも明白であることを免れられない。
また、前記した第１から第４の分類において、指輪として指に装着した際、及びペンダントとして首から吊り下げた際に、装飾体（ヘッド）自体の向き（角度や方向）を変えることはできず、指輪とペンダントを兼用できるとはいえ、向きを変えることによる装飾体の表情の変化を楽しむことはできない。また、指輪とペンダントの２つの用途を兼用できるとはいえ、それぞれを同時に単体で使用することが考慮されておらず、指輪は装飾体に着脱するための構造が一体として形成されているので、指輪単体としての使用は困難であり、ペンダントとして使用する際は、装飾体から取り外した指輪を紛失することが危惧される。
更に、前記した第１から第４の分類において、指輪は閉鎖された環状体であったり、指輪自体に装飾体に着脱するための金具類が設けられていたり、あるいは指輪と装飾体が着脱不可能となっているので、使用者個々の指の太さに合わせた指輪サイズのバリエーションが必要であることも課題の一つである。
以上説明したように本発明は、このような問題を解消し、低コスト、かつ簡易な構造でバラエティに富んだ使用方法を使用者自身が適宜選択可能な装身具を提供することを目的としている。
【０００９】
【課題を解決するための手段】
装飾体とリングを着脱可能にして、指輪とペンダントの両者を選択使用可能にした装身具において、宝石類や貴金属からなる装飾体と、前記装飾体の背面に円筒状に立設した金具を備えるとともに、前記円筒状に立設した金具の直径方向の対向する周壁には、切欠部を有した指輪を着脱自在に挿通するための一対の小孔を貫通開孔し、前記一対の小孔は、直径方向の対向する周壁に同一平面状に角度を変えて複数対、設けたことで解決される。
また、上記の課題は、前記装飾体の背面に立設した金具を、筒状の偶数の正多角形とすることで解決される。
【００１０】
【発明の実施の形態】
次に本発明の第１実施例を第１図から第５図に示す実施の形態に基づいて詳細に説明する。
図中１は、本発明の第１実施例の装身具であり、宝石類や貴金属からなる装飾体２と、前記装飾体２の背面には円筒状に立設した金具２ａを備え、前記円筒状の金具２ａには、リング３を切欠部３ａから嵌挿を可能にするために、第３図（Ａ）及び（Ｂ）に示すように、直径方向に対向する金具２ａの周壁に一対の小孔４ａ、４ｂを貫通開孔する。そして更に同様にして一対の小孔６ａ、６ｂを小孔４ａ、４ｂと同一平面上に角度（方向）を変えて（本実施例では９０度）追加して設けられている。
指輪として使用する場合は、第３図（Ａ）に示すように、前記一対の小孔４ａ、４ｂにリング３を嵌挿するか、第３図（Ｂ）に示すように、小孔６ａ、６ｂにリング３を嵌挿するかを選択する。小孔へのリング３の嵌挿方法は、小孔４ａ、４ｂを例にすれば、リング３の切欠部３ａの一方を小孔４ａの外側から挿通した後、直径方向に対向する面に貫通開孔された小孔４ｂの内側から外側に向かって挿通させ、第１図に示されるように、切欠部３ａが金具２ａとは対向する逆側に位置するまで回転させて嵌挿することで指輪として完成される。
前記した例ではリング３を小孔４ａから４ｂへ挿通させたが、逆に４ｂから４ａと挿通させてもよいし、小孔６ａから６ｂに挿通させた場合は、逆に６ｂから６ａと挿通してもよい。
このように装飾体２にリング３を嵌挿する方向を９０度づつ４方向変えることが可能になり、装飾体２のデザインを異なったもの、あるいは違ったイメージとして捉えることが可能になり、装飾体２の形状及びデザインが楕円、変形円、長方形、台形、菱形、奇数の正多角形、変形多角形等の方向性のあるものであればリング３の嵌挿方向を変化させることで、全くイメージの違う装身具となり、バラエティに富んだ表情の変化を楽しむことが可能になる。
また、装飾体２は金具２ａを覆い隠すように形成されているので、装飾体２のデザインに一切影響を与えず、幅広いデザインの可能性がある。
更に、第１実施例では金具２ａに貫通開口した小孔を、円周を４等分して開孔し、対向する面同士の小孔を一対として、４ａと４ｂ、６ａと６ｂの２対設けたが、例えば円周を８等分し、同様にして４対設けた場合は、図４に示した方向にリング３を嵌挿することができる。
なおかつ、リング３は切欠部３ａを有したシンプルな形状なので、前記した方法で金具２ａへの着脱が容易に短時間で可能であるとともに、切欠部３ａの隙間を広げたり狭めたりして調整することで、指のサイズの違いに対応できる、フリーサイズの指輪とすることが可能になる。そして、リング３はシンプルな形状であることから、単体でも極めて自然に通常使用することが可能である。
【００１１】
また、ペンダントとして使用する場合は、金具２ａからリング３を外した後に、装飾体２をペンダントとして吊り下げた時に、上にしたい方向の小孔、４ａ、４ｂ、６ａ、６ｂの何れかを上方にして、ネックレスのチェーン８を第５図（Ａ）及び（Ｂ）に示されるように通すことで、安定して吊り下げ可能なペンダントとして完成される。
第５図（Ａ）及び（Ｂ）は、第１図のＡ−Ａ線断面図でリング３を外した状態を示している。第５図（Ａ）は、チェーン８の開放端部を小孔４ａ、４ｂの外側から通して、小孔６ａ内側からチェーン８の開放端部が抜け出すようにしたことを示す図である。また、第５図（Ｂ）は、チェーン８の開放端部を小孔６ａ、６ｂの外側から通して、小孔４ｂ内側からチェーン８の開放端部が抜け出すようにしたので、装飾体２は、第５図（Ａ）の位置とは９０度回転した状態で、吊り下げた状態を示している。同様にして、第５図（Ａ）であれば、前記とは逆にして小孔６ｂを上方に、同図（Ｂ）であれば前記とは逆にして小孔４ａを上方にすることにより、装飾体２は、９０度づつ４方向の角度を選択することが可能になるので、前記同様バラエティに富んだ表情の変化を楽しむことができる装身具となる。
また、前記したようにチェーン８は、上方の１箇所と両サイドの２箇所の合わせて３箇所の小孔を使用してペンダントとしているので、首から吊り下げた際に装飾体が前後や左右に傾いだりせず、垂直状態を保つことが可能となった。
更に、ペンダントから指輪に用途を変更した際に、チェーン８は、シンプルなネックレスとして使用することが可能である。
【００１２】
次に本発明の第２実施例を第６図から第９図に示す実施の形態に基づいて詳細に説明する。
図中１１は、本発明の第２実施例の装身具であり、装飾体２の背面に立設した金具２１ａは、筒状の偶数の正多角形とし、対向する面それぞれに小孔を貫通開孔して設けた。小孔は、正多角形の対向する面同士を一対として複数対、貫通開口するので、正四角形であれば２対、正六角形であれば３対、正八角形であれば４対の小孔が設けられることになる。
本第２実施例では、正八角形の場合を第６図から第９図に示すが、宝石類や貴金属からなる装飾体２と、装飾体２の背面に筒状で正八角形の金具２１ａを立設して備え、第７図に示すように金具２１ａには、リング３を切欠部３ａから嵌挿を可能にするために、正八角形の対向する面に、一対の小孔１４ａと１４ｂを貫通開孔する。そして同様にして残りの対向する３対の面に１５ａと１５ｂ、１６ａと１６ｂ、１７ａと１７ｂの小孔を貫通開孔して設ける。
指輪として使用する場合は、第８図（Ａ）に示すように、一対の小孔１６ａ、１６ｂにリング３を嵌挿するか、第７図（Ｂ）に示すように、小孔１７ａ、１７ｂにリング３を嵌挿するか、あるいは小孔５ａ、５ｂにリング３を嵌挿するかを選択する。金具２１ａへのリング３の嵌挿方法と挿通方向は第１実施例と同一なので説明は省略するが、リング３を挿通して嵌挿する方向を、合計で８方向選択可能となり、バラエティに富んだ表情の変化を楽しむことが可能になる。
【００１３】
また、ペンダントとして使用する場合は、第１実施例同様、リング３を金具２１ａから外した後に、装飾体２をペンダントとして吊り下げた時に、上にしたい方向の小孔、１４ａ、１４ｂ、１５ａ、１５ｂ、１６ａ、１６ｂ、１７ａ、１７ｂの何れかを上方にして、ネックレスのチェーン８を第９図（Ａ）から（Ｄ）にそれぞれ示されるように通すことで、安定して吊り下げ可能なペンダントとして完成される。
このようにしてペンダントとして完成された装飾体１１は、チェーン８の吊り下げる方向を合計で８方向選択可能になり、多方向に、チェーン８の角度を変えることが可能になり、バラエティに富んだ表情の変化を楽しむことが可能になる。  第２実施例でいう偶数の正多角形とは、正四角形、正六角形、正八角形、正十角形等を示すが、実質的には正四角形、正六角形、正八角形で実施することが最も望ましい。
尚、奇数の正三角形、正五角形、正七角形等を本発明において除外した理由は、直径方向に平行して対向する面が存在しないため、リング３を嵌挿することが不可能なためである。
【００１４】
以上説明した第１実施例及び第２実施例で、円筒状の金具２ａ、及び筒状かつ正多角形の金具２１ａは、内部を空洞として周壁を有する構成としているが、リング３の嵌挿及びチェーン８を挿通することが可能ならば、無垢の円柱状でも、正多角柱状であっても差し支えない。また、装飾体２と、金具２ａ及び金具２１ａの関係は、本実施例では、装飾体２で金具２ａ及び２１ａが覆い隠されるように形成したが、装飾、体２に対して金具２ａ及び２１ａが略同一寸法からなってもよい。
【００１５】
【発明の効果】
以上説明した本発明により、装飾体とリングを着脱可能にして、指輪とペンダントの両者を選択使用可能にした装身具において、第１実施例では、装飾体２の背面に円筒状に立設した金具２ａの周壁に、直径方向に対向するように貫通開孔した小孔４ａ、４ｂを一対として設け、同様にして同一平面状に角度を変えて一対の小孔６ａ、６ｂを追加して複数対、設けたので、リング３の嵌挿方向を複数選択することが可能になった。また、リング３は切欠部３ａを有したシンプルな形状なので、金具２ａへの着脱が容易に短時間で可能であるとともに、切欠部３ａの隙間を広げたり狭めたりして調整することで容易に指のサイズの違いに対応することができるフリーサイズの指輪とすることが可能になる。そして、リング３はシンプルな形状であることから、単体でも極めて自然に通常使用することが可能である。また、ペンダントとして使用する場合も、装飾体２の吊り下げる向きを小孔４ａ、４ｂ、６ａ、６ｂの何れかが上方に向くように選択してチェーン８を通すことで、複数方向選択することが可能になるとともに、チェーン８は、上方の１箇所と両サイドの２箇所の合わせて３箇所の小孔を使用してペンダントとしているので、吊り下げた際に装飾体が前後や左右に傾いだりせず、垂直状態を保っことが可能となった。更に、ペンダントから指輪に用途を変更した際に、チェーン８は、シンプルなネックレスとして使用することが可能となった。
また、第２実施例では、装飾体２の背面に立設した金具２１ａは、筒状の偶数の正多角形として、対向する面それぞれに小孔を貫通開孔して設けた。第６図から第９図に示したように、金具２１ａを筒状の正八角形とした場合では、４対の小孔を設けることができ、リング３の嵌挿方向を、８方向選択することが可能になった。
ペンダントとして使用する場合においても、チェーン８の吊り下げる方向を小孔１４ａ、１４ｂ、１５ａ、１５ｂ、１６ａ、１６ｂ、１７ａ、１７ｂの何れかを選択することによって、装飾体２の吊り下げ角度を変えることが可能になり、バラエティに富んだ表情の変化を楽しむことが可能になった。
以上の構成から、指輪とペンダントの両者を容易に短時間で適宜選択が可能であるとともに、それぞれを単体で同時に使用することも可能な、低コストで利便性、バラエティに富んだ表情の変化を楽しむことが可能な装身具を提供することが可能になった。
【図面の簡単な説明】
【図１】本発明の第１実施例の正面図である。
【図２】本発明の第１実施例の右側面図（左右対称）である。
【図３】本発明の第１実施例の底面図で、（Ａ）と（Ｂ）とはリングの嵌挿方向を変えた状態を示している。
【図４】本発明の第１実施例で金具２ａの円周を８等分した場合のリング３の嵌挿方向を同時に示した平面図である。
【図５】本発明の第１図からリング３を外した状態の、Ａ−Ａ線断面図でチェーンの金具２ａへの挿通状態を示す説明図である。
【図６】本発明の第２実施例の正面図である。
【図７】本発明の第２実施例の底面図である。
【図８】本発明の第２実施例の底面図で、（Ａ）、（Ｂ）、（Ｃ）はリングの嵌挿方向を変えた状態を示している。
【図９】本発明の第６図からリング３を外した状態のＢ−Ｂ線断面図で、チェーン８の金具２１ａへの挿通状態を示す説明図である。
【符号の説明】
１、１１                        装身具
２                              装飾体
２ａ、２１ａ                    金具
３                              リング
３ａ                            切欠部
４ａ、４ｂ、６ａ、６ｂ          小孔
１４ａ、１４ｂ、１５ａ、１５ｂ  小孔
１６ａ、１６ｂ、１７ａ、１７ｂ  小孔
８                              チェーン
【図１】
2004261534.tif 000003
【図２】
2004261534.tif 000004
【図３】
2004261534.tif 000005
【図４】
2004261534.tif 000006
【図５】
2004261534.tif 000007
【図６】
2004261534.tif 000008
【図７】
2004261534.tif 000009
【図８】
2004261534.tif 000010
【図９】
2004261534.tif 000011